(57)【要約】【課題】地震が発生したとしても破損や損壊することを抑制する。【解決手段】防煙垂壁１００は、天井から垂れ下がるように設けられた固定壁１０と、固定壁１０に連なるように配置され、固定壁１０に連なる部分２１Ｕとは反対側の部分２１Ｖにおいて回動可能に枢支された回動扉２０と、回動扉２０に回動力を付与し、回動扉２０のうちの固定壁１０に連なる部分２１Ｕが固定壁１０に向かって近づく方向に回動扉２０を回動させる付勢手段とを備える。【選択図】図２
2015100566.tif 000002
【特許請求の範囲】
【請求項１】
天井から垂れ下がるように設けられた固定壁と、
前記固定壁に連なるように配置され、前記固定壁に連なる部分とは反対側の部分において回動可能に枢支された回動扉と、
前記回動扉に回動力を付与し、前記回動扉のうちの前記固定壁に連なる部分が前記固定壁に向かって近づく方向に前記回動扉を回動させる付勢手段と、を備える、
防煙垂壁。
【請求項２】
前記回動扉は、前記回動扉が閉まったときに前記固定壁に重なる長さを有している、
請求項１に記載の防煙垂壁。
【請求項３】
前記付勢手段は、前記回動扉の上部を枢支する上部枢軸と、前記回動扉の下部を枢支する下部枢軸とを含み、
前記上部枢軸は、前記下部枢軸よりも前記回動扉が閉まる方向の側に位置している、
請求項１または２に記載の防煙垂壁。
【請求項４】
前記回動扉および前記固定壁は、前記回動扉が閉まったときには互いに平行な位置関係を有している、
請求項１から３のいずれか１項に記載の防煙垂壁。
【請求項５】
前記回動扉および前記固定壁のうちの少なくとも一方には、前記回動扉が閉まったときに前記回動扉から前記固定壁に作用する衝撃を和らげるための弾性部材が設けられている、
請求項１から４のいずれか１項に記載の防煙垂壁。
【請求項６】
前記回動扉が開いたときに前記回動扉に当接するように配置され、前記回動扉の回動量が９０°未満となるように前記回動扉の回動を規制する当たり部をさらに備える、
請求項１から５のいずれか１項に記載の防煙垂壁。
【発明の詳細な説明】
【技術分野】
【０００１】
本発明は、建築物内に設置される防煙垂壁に関する。
【背景技術】
【０００２】
下記の特許文献１〜４に開示されているように、建築物内に設置される防煙垂壁が知られている。一般的な防煙垂壁は、ガラスを用いて構成されており、天井から垂れ下がるように設けられる。防煙垂壁を設置することにより、火災が発生した際に煙の移動を阻止することができる。
【先行技術文献】
【特許文献】
【０００３】
【特許文献１】特開平１０−０６６７３７号公報
【特許文献２】特開平０９−３２８８３８号公報
【特許文献３】登録実用新案第３０４５５９０号公報
【特許文献４】特開２０００−０８４１０４号公報
【発明の概要】
【発明が解決しようとする課題】
【０００４】
壁面間などに連続施工された複数枚の防煙垂壁のうち、端部に位置する防煙垂壁は、地震が発生した際に破損や損壊してしまうことがあった。
【０００５】
本発明は、地震が発生したとしても破損や損壊することを抑制可能な防煙垂壁を提供することを目的とする。
【課題を解決するための手段】
【０００６】
本発明に基づく防煙垂壁は、天井から垂れ下がるように設けられた固定壁と、上記固定壁に連なるように配置され、上記固定壁に連なる部分とは反対側の部分において回動可能に枢支された回動扉と、上記回動扉に回動力を付与し、上記回動扉のうちの上記固定壁に連なる部分が上記固定壁に向かって近づく方向に上記回動扉を回動させる付勢手段と、を備える。
【０００７】
好ましくは、上記回動扉は、上記回動扉が閉まったときに上記固定壁に重なる長さを有している。
【０００８】
好ましくは、上記付勢手段は、上記回動扉の上部を枢支する上部枢軸と、上記回動扉の下部を枢支する下部枢軸とを含み、上記上部枢軸は、上記下部枢軸よりも上記回動扉が閉まる方向の側に位置している。
【０００９】
好ましくは、上記回動扉および上記固定壁は、上記回動扉が閉まったときには互いに平行な位置関係を有している。
【００１０】
好ましくは、上記回動扉および上記固定壁のうちの少なくとも一方には、上記回動扉が閉まったときに上記回動扉から上記固定壁に作用する衝撃を和らげるための弾性部材が設けられている。
【００１１】
好ましくは、上記回動扉が開いたときに上記回動扉に当接するように配置され、上記回動扉の回動量が９０°未満となるように上記回動扉の回動を規制する当たり部をさらに備える。
【発明の効果】
【００１２】
本発明によれば、地震が発生したとしても、回動扉が開くことによって防煙垂壁に作用する応力を逃がすことができ、破損や損壊することを抑制することが可能となる。
【図面の簡単な説明】
【００１３】
【図１】実施の形態における防煙垂壁を示す斜視図である。
【図２】実施の形態における防煙垂壁の分解した状態を示す斜視図である。
【図３】実施の形態における防煙垂壁の回動扉および固定壁を示す正面図である。
【図４】図３中のＩＶ−ＩＶ線に沿った矢視断面図である。
【図５】実施の形態における防煙垂壁の回動扉を図４中の矢印Ｖ方向から見たときの側面図である。
【図６】実施の形態における防煙垂壁の回動扉が開いているときの様子を示す図である。
【図７】実施の形態の変形例における防煙垂壁の回動扉が開いているときの様子を示す図である。
【図８】実施の形態の他の変形例における防煙垂壁の回動扉が開いているときの様子を示す図である。
【図９】実施の形態のさらに他の変形例における防煙垂壁の回動扉が開いているときの様子を示す図である。
【発明を実施するための形態】
【００１４】
実施の形態について、以下、図面を参照しながら説明する。個数および量などに言及する場合、特に記載がある場合を除き、本発明の範囲は必ずしもその個数およびその量などに限定されない。同一の部品および相当部品には、同一の参照番号を付し、重複する説明は繰り返さない場合がある。
【００１５】
図１は、実施の形態における防煙垂壁１００を示す斜視図である。図１に示すように、防煙垂壁１００は、天井２００から垂れ下がるように設けられ、壁３００と壁４００との間に配置されるものである。防煙垂壁１００は、複数枚の固定壁１０と、回動扉２０，３０とを備えている。
【００１６】
回動扉２０、複数枚の固定壁１０、および回動扉３０は、この順に連なるように一列に並んで配置されている。回動扉２０は、図１中の左端に位置する固定壁１０と壁３００との間に設けられており、回動扉３０は、図１中の右端に位置する固定壁１０と壁４００との間に設けられている。
【００１７】
固定壁１０は、ガラスパネル１１、上枠１２、および下枠１３を有している。下枠１３は、吊り具を用いて上枠１２や天井などから吊り下げられている。ガラスパネル１１は、上枠１２と下枠１３とにより挟み込まれ、天井２００から垂れ下がるように固定されている。
【００１８】
回動扉２０は、ガラスパネル２１、受け金具２２、および固定フレーム２３を有している。ガラスパネル２１は、受け金具２２を介して固定フレーム２３に回動可能に枢支されており、矢印ＡＲ１方向およびその反対方向に回動することができる（詳細は後述する）。回動扉３０は、ガラスパネル３１、受け金具３２、および固定フレーム３３を有している。ガラスパネル３１は、受け金具３２を介して固定フレーム３３に回動可能に枢支されており、矢印ＡＲ２方向およびその反対方向に回動することができる（詳細は後述する）。
【００１９】
図２は、防煙垂壁１００の分解した状態を示す斜視図である。図３は、回動扉２０および固定壁１０を示す正面図である。図４は、図３中のＩＶ−ＩＶ線に沿った矢視断面図である。図５は、回動扉２０を図４中の矢印Ｖ方向から見たときの側面図である。
【００２０】
（回動扉２０）
図２〜図５を参照して、回動扉２０のガラスパネル２１は、外形が長方形状であり、全体として板状の形状を有している。ガラスパネル２１は、表面２１Ｓと裏面２１Ｔとを有している。ガラスパネル２１のうちの壁３００（図１）の側に位置する端部２１Ｖは、受け金具２２の中に収められている。ガラスパネル２１のうちの固定壁１０の側に位置する端部２１Ｕは、固定壁１０に連なる部分であり、端部２１Ｕは、端部２１Ｖを中心として矢印ＡＲ１方向およびその反対方向に移動可能である。
【００２１】
受け金具２２は、縦枠部２２Ｈ（図２）および横枠部２２Ｇ（図２）を有しており、縦枠部２２Ｈおよび横枠部２２Ｇは一体的に形成されている。縦枠部２２Ｈは、ガラスパネル２１の端部２１Ｖに沿って上下方向に延在しており、端部２１Ｖを外側から包み込むような形状を有している。ガラスパネル２１の端部２１Ｖと受け金具２２の縦枠部２２Ｈの内側表面との間には、ゴムなどの弾性部材２２Ｔ（図５参照）が設けられている。受け金具２２（縦枠部２２Ｈ）の上側の外側端面には、棒状の上部枢軸２２Ｐが設けられている。受け金具２２（縦枠部２２Ｈ）の下側の外側端面には、棒状の下部枢軸２２Ｑが設けられている。横枠部２２Ｇは、縦枠部２２Ｈの上側の端部から、ガラスパネル２１の上縁に沿ってガラスパネル２１の端部２１Ｕの側に向かって延在している。
【００２２】
固定フレーム２３は、壁３００などに固定される。固定フレーム２３は、縦枠部２３Ｈおよび横枠部２３Ｇを有しており、縦枠部２３Ｈおよび横枠部２３Ｇは一体的に形成されている。縦枠部２３Ｈは、壁３００（図１参照）に取り付けられる部位である。横枠部２３Ｇは、縦枠部２３Ｈの上側の端部から固定壁１０が配置されている側に向かって延びている。横枠部２３Ｇは、Ｌ字状の形状を有しており（図５参照）、ガラスパネル２１に取り付けられる受け金具２２の横枠部２２Ｇの形状に対応している。固定フレーム２３の横枠部２３Ｇは、ガラスパネル２１が閉まった際に受け金具２２の横枠部２２Ｇを受け入れる（図５参照）。図４などにおいては、図示上の便宜のため、受け金具２２の横枠部２２Ｇの一部および固定フレーム２３の横枠部２３Ｇの一部は、仮想線を用いて図示している。
【００２３】
固定フレーム２３の縦枠部２３Ｈには、受け部２３Ｍが設けられている。受け部２３Ｍの内形状は、受け金具２２の縦枠部２２Ｈの外形状に対応しており、受け金具２２の縦枠部２２Ｈは受け部２３Ｍの内側に配置される。受け部２３Ｍの内面のうちの上側の端面には、凹部２３Ｐが設けられている。凹部２３Ｐの配置位置および形状は、受け金具２２の上部枢軸２２Ｐの配置位置および形状にそれぞれ対応している。受け部２３Ｍの内面のうちの下側の端面には、凹部２３Ｑが設けられている。凹部２３Ｑの配置位置および形状は、受け金具２２の下部枢軸２２Ｑの配置位置および形状にそれぞれ対応している。
【００２４】
図中に詳細は記載していないが、固定フレーム２３は分割された複数の部位から構成されており、上下方向から受け金具２２を挟み込むように配置される。受け金具２２の上部枢軸２２Ｐが凹部２３Ｐの中に配置され（挿し込まれ）、受け金具２２の下部枢軸２２Ｑが凹部２３Ｑの中に配置されることによって（挿し込まれることによって）、受け金具２２は固定フレーム２３に枢支される。当該枢支を実現するためには、上部枢軸２２Ｐと凹部２３Ｐとの凹凸関係は逆であっても構わないし、下部枢軸２２Ｑと凹部２３Ｑとの凹凸関係も同様に逆であっても構わない。
【００２５】
固定フレーム２３は、受け金具２２を枢支することによって、ガラスパネル２１および受け金具２２を回動可能とする。ガラスパネル２１は、ガラスパネル２１のうちのガラスパネル１１に連なる部分（端部２１Ｕ）とは反対側の部分（端部２１Ｖ）において、固定フレーム２３により回動可能に枢支される。当該構成により、ガラスパネル２１の端部２１Ｕは、端部２１Ｖを中心として矢印ＡＲ１方向およびその反対方向に移動可能となる。
【００２６】
図４を参照して、ここで、上部枢軸２２Ｐおよび下部枢軸２２Ｑを平面視したとする。この状態において、ガラスパネル２１および受け金具２２の上部側を枢支している上部枢軸２２Ｐの位置と、ガラスパネル２１および受け金具２２の下部側を枢支している下部枢軸２２Ｑの位置とは、互いにずれている（図５も参照）。上部枢軸２２Ｐおよび下部枢軸２２Ｑは、壁３００の表面に対して平行な方向において（図４紙面内の上下方向において）上下方向に並ぶように配置されている。ここで言う上下方向とは、ガラスパネル２１が閉まった状態において、ガラスパネル２１に対して直交する方向でもある。上部枢軸２２Ｐは、下部枢軸２２Ｑよりもガラスパネル１１に近い側に位置している。
【００２７】
図６を参照して、上部枢軸２２Ｐおよび下部枢軸２２Ｑは、受け金具２２およびガラスパネル２１の回動軸を構成している。ガラスパネル２１が矢印ＡＲ１とは反対方向に回動した際（ガラスパネル２１が開いた際）、受け金具２２の上端部は上部枢軸２２Ｐを中心として回動し、受け金具２２の下端部は下部枢軸２２Ｑを中心として回動する。図６中において、受け金具２２の上端部が回動する様子は実線を用いて図示しており、受け金具２２の下端部が回動する様子は点線を用いて図示している。
【００２８】
上部枢軸２２Ｐと下部枢軸２２Ｑとを結ぶ直線は、重力方向に対して傾いており、上部枢軸２２Ｐは、下部枢軸２２Ｑよりもガラスパネル２１が閉まる方向の側に位置している。ガラスパネル２１が矢印ＡＲ１とは反対方向に開いた際、受け金具２２およびガラスパネル２１には回動力が付与され、ガラスパネル２１の端部２１Ｕは、ガラスパネル１１に向かって近づく方向（矢印ＡＲ１方向）に回動するように付勢されることとなる。
【００２９】
地震の揺れによってガラスパネル２１が開いたとしても、ガラスパネル２１は上記の回動力を受けて、矢印ＡＲ１方向に回動する。したがって本実施の形態では、上部枢軸２２Ｐおよび下部枢軸２２Ｑの構成と、上部枢軸２２Ｐおよび下部枢軸２２Ｑが上記のようにずれて配置されているという構成とが「付勢手段」として機能している。
【００３０】
本実施の形態では、防煙垂壁１００の回動扉２０は開閉可能であり、固定壁１０に連結されていない。地震が発生したとしても、回動扉２０のガラスパネル２１が開いて固定壁１０から離れることによって、固定壁１０および回動扉２０に作用する応力を逃がすことができる。その結果、これらの部材が破損や損壊することを抑制することが可能となる。
【００３１】
本実施の形態における回動扉２０のガラスパネル２１は、ガラスパネル２１が閉まったときに固定壁１０に重なる長さを有している。ガラスパネル２１が閉まったとき、ガラスパネル２１のうちの表面２１Ｓの先端部２１Ｒ（図３，図４）は、固定壁１０のガラスパネル１１の裏面１１Ｔに当接する。
【００３２】
回動扉２０のガラスパネル２１（表面２１Ｓ）および固定壁１０のガラスパネル１１（裏面１１Ｔ）は、ガラスパネル２１が閉まったときには互いに平行な位置関係を有している。ガラスパネル２１が閉まっている状態において、防煙垂壁１００は高い防煙機能を発揮することが可能となる。
【００３３】
（回動扉３０）
図２を再び参照して、回動扉３０は、回動扉２０と略同一の構成を有している。すなわち、回動扉２０のガラスパネル２１、受け金具２２（縦枠部２２Ｈ、横枠部２２Ｇ）、および、固定フレーム２３（縦枠部２３Ｈ、横枠部２３Ｇ）は、回動扉３０のガラスパネル３１、受け金具３２（縦枠部３２Ｈ、横枠部３２Ｇ）、および、固定フレーム３３（縦枠部３３Ｈ、横枠部３３Ｇ）にそれぞれ対応している。ガラスパネル３１は、表面３１Ｓと裏面３１Ｔとを有している。
【００３４】
受け金具２２の上部枢軸２２Ｐおよび下部枢軸２２Ｑは、受け金具３２の上部枢軸３２Ｐおよび下部枢軸３２Ｑにそれぞれ対応している。固定フレーム２３の受け部２３Ｍ、凹部２３Ｐ、および凹部２３Ｑは、固定フレーム３３の受け部３３Ｍ、凹部３３Ｐ、および凹部３３Ｑにそれぞれ対応している。
【００３５】
回動扉２０の場合と同様に、回動扉３０の場合においても上部枢軸３２Ｐが下部枢軸３２Ｑよりもガラスパネル３１が閉まる方向の側に位置していることによって、地震時にガラスパネル３１が開いたとしても、ガラスパネル３１は矢印ＡＲ２方向に回動する。回動扉３０のガラスパネル３１が開いて固定壁１０から離れることによって、固定壁１０および回動扉３０に作用する応力を逃がすことができる。その結果、これらの部材が破損や損壊することを抑制することが可能となる。
【００３６】
ガラスパネル３１が閉まったとき、ガラスパネル３１の裏面３１Ｔのうちの先端部は、固定壁１０のガラスパネル１１の表面１１Ｓに当接する。回動扉３０のガラスパネル３１（裏面３１Ｔ）および固定壁１０のガラスパネル１１（表面１１Ｓ）は、ガラスパネル３１が閉まったときには互いに平行な位置関係を有している。ガラスパネル３１が閉まっている状態において、防煙垂壁１００は高い防煙機能を発揮することが可能となる。
【００３７】
（変形例）
上述の実施の形態では、ガラスパネル２１が、ガラスパネル１１に重なる長さ（先端部２１Ｒに対応する長さ）を有しているが、この構成は必須ではない。ガラスパネル２１が閉じた状態において、ガラスパネル２１の端部２１Ｕ（図６参照）とガラスパネル１１の端部１１Ｖ（図６参照）との間の隙間を埋めることが可能な、たとえば不燃性の部材がこれらの間に設けられている場合、ガラスパネル２１はガラスパネル１１に重なる長さを有していなくてもよい。
【００３８】
上述の実施の形態では、ガラスパネル２１（表面２１Ｓ）およびガラスパネル１１（裏面１１Ｔ）は、ガラスパネル２１が閉まったときに互いに平行な位置関係を有しているが、この構成も必須ではない。ガラスパネル２１，１１の面同士が平行でない場合であっても、これらが互いに当接していることによって、防煙垂壁１００は防煙機能を発揮することができる。
【００３９】
図７を参照して、固定壁１０のガラスパネル１１には、ガラスパネル２１が閉まったときにガラスパネル２１からガラスパネル１１に作用する衝撃を和らげるための弾性部材１６が設けられていることが好ましい。この構成に限られず、弾性部材１６は、ガラスパネル２１の先端部２１Ｒに対応する部分に設けられていてもよいし、ガラスパネル１１，２１の双方に弾性部材が設けられていてもよい。ガラスパネル２１に取り付けられた受け金具２２の横枠部２２Ｇおよび固定フレーム２３の横枠部２３Ｇは、ガラスパネル２１が閉まったときに互いに当接するように構成されていてもよく、この場合、横枠部２２Ｇおよび横枠部２３Ｇは、ガラスパネル２１からガラスパネル１１に作用する衝撃を和らげるという機能を発揮できる。横枠部２２Ｇと横枠部２３Ｇとの接触による衝撃をより一層緩和するために、これらの間に弾性を有する部材が設けられていてもよい。
【００４０】
上部枢軸２２Ｐおよび下部枢軸２２Ｑの配置位置のずれを利用して付勢手段を構成する場合、固定フレーム２３の受け部２３Ｍの内側には、当たり部２８が設けられているとよい。当たり部２８は、ガラスパネル２１および受け金具２２の回動量を９０°未満に規制する。稀ではあるが、ガラスパネル２１が矢印ＡＲ１とは反対方向に９０°回動した場合、当たり部２８が設置されていないと、ガラスパネル２１に適切な回動力が付与されなくなり、ガラスパネル２１が閉じにくくなることがある。当たり部２８の設置は、このような場合を防ぎ、ガラスパネル２１を確実に回動させることが可能となる。
【００４１】
図８を参照して、上述の実施の形態は、壁３００，４００の間に防煙垂壁１００が適用される場合について説明した。図８に示すように、上述の実施の形態（回動扉２０）の構成は、４つの防煙垂壁が交差する部分においても適用可能である。この構成に限られず、上述の実施の形態（回動扉２０）の構成は、３つの防煙垂壁が交差する部分においても適用可能であるし、２つの防煙垂壁が交差する部分においても適用可能である。
【００４２】
図９を参照して、上述の実施の形態では、付勢手段として上部枢軸２２Ｐおよび下部枢軸２２Ｑの配置関係のずれを利用するものが用いられていたが、付勢手段としては、コイルばねを内蔵した蝶番２５などを採用してもよい。この他にも、付勢手段としては、ダンパー機能を用いて回動扉２０（ガラスパネル２１）を回動させるロータリーダンパーが採用されてもよいし、錘およびワイヤーなどを用いて回動扉２０（ガラスパネル２１）を回動させる機構が採用されてもよい。
【００４３】
さらに、これらの付勢手段は組み合わされて用いられてもよい。付勢手段としては、上記の他にも、扉の下部に凹部を設け、回動扉が回動する際にその凹部が円錐状の凸部のテーパー面を摺接しつつ上昇移動し、重力を受けて凹部が凸部のテーパー面を滑り落ちるように付勢されることにより、ガラスパネル２１および受け金具２２に回動力を作用させるという機構が採用されてもよい。
【００４４】
以上、本発明に基づいた実施の形態および変形例について説明したが、今回開示された実施の形態および変形例はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４５】
１０  固定壁、１１，２１，３１  ガラスパネル、１１Ｓ，２１Ｓ，３１Ｓ  表面、１１Ｔ，２１Ｔ，３１Ｔ  裏面、１１Ｖ  端部、１２  上枠、１３  下枠、１６，２２Ｔ  弾性部材、２０，３０  回動扉、２１Ｒ  先端部、２１Ｕ  端部（固定壁に連なる部分）、２１Ｖ  端部（固定壁に連なる部分とは反対側の部分）、２２，３２  受け金具、２２Ｇ，２３Ｇ，３２Ｇ，３３Ｇ  横枠部、２２Ｈ，２３Ｈ，３２Ｈ，３３Ｈ  縦枠部、２２Ｐ，３２Ｐ  上部枢軸、２２Ｑ，３２Ｑ  下部枢軸、２３，３３  固定フレーム、２３Ｍ，３３Ｍ  受け部、２３Ｐ，２３Ｑ，３３Ｐ，３３Ｑ  凹部、２５  蝶番、２８  当たり部、１００  防煙垂壁、２００  天井、３００，４００  壁、ＡＲ１，ＡＲ２  矢印。
【図１】
2015100566.tif 000003
【図２】
2015100566.tif 000004
【図３】
2015100566.tif 000005
【図４】
2015100566.tif 000006
【図５】
2015100566.tif 000007
【図６】
2015100566.tif 000008
【図７】
2015100566.tif 000009
【図８】
2015100566.tif 000010
【図９】
2015100566.tif 000011